(57)【要約】本発明は、表示パネルと、表示パネルが設けられた筐体（４）と、を備える。筐体（４）の、表示パネルに対向する背面（４ｂ）には、筐体（４）の外縁部の両端から背面（４ｂ）の中央側に寄った位置に、一対の弧状膨出部（７）が設けられ、一対の弧状膨出部（７）が連続して一体に形成されている。
2013018544.tif 000002
【特許請求の範囲】
【請求項１】
表示パネルと、前記表示パネルが設けられた筐体と、を備え、
前記筐体の、前記表示パネルに対向する背面には、前記筐体の外縁部の両端から前記背面の中央側に寄った位置に、一対の弧状膨出部が設けられ、該一対の弧状膨出部が連続して一体に形成されている電子機器。
【請求項２】
前記表示パネルは、タッチパネルディスプレイである、請求項１に記載の電子機器。
【請求項３】
前記筐体の前記背面には、前記一対の弧状膨出部の間に弧状凹部が形成され、該弧状凹部から前記筐体の外縁部の両端まで連続する１つの曲面で構成されている、請求項１または２に記載の電子機器。
【請求項４】
前記筐体の前記背面は、前記弧状膨出部が並ぶ方向と交差する方向における、外縁部の両端が面取りされている、請求項１ないし３のいずれか１項に記載の電子機器。
【請求項５】
前記筐体は、樹脂材料からなる、請求項１ないし４のいずれか１項に記載の電子機器。
【請求項６】
前記筐体は、金属材料からなる、請求項１ないし４のいずれか１項に記載の電子機器。
【請求項７】
前記筐体は、繊維強化材料からなる、請求項１ないし４のいずれか１項に記載の電子機器。
【請求項８】
前記筐体は、カーボンを含む材料からなる、請求項７に記載の電子機器。
【発明の詳細な説明】
【技術分野】
【０００１】
本発明は、表示パネルを有する電子機器に関し、特に筐体の形状に関する。
【背景技術】
【０００２】
情報を表示する表示パネルとしては、タッチパネルを備えたいわゆるスマートフォンやタブレットＰＣ（パーソナルコンピュータ）等の携帯端末装置が知られている。【０００３】
この種の携帯端末装置では、筐体を保持しながら表示パネルを操作するために、筐体の持ち易さを確保することが要求されている。例えば特許文献１には、筐体の外縁部に沿って溝部を形成することによって、筐体を保持し易く構成された携帯端末装置が開示されている。【０００４】
また、携帯端末装置では、薄型化を図ると共に持ち易さを確保するために、筐体内の電子部品の配置を工夫し、筐体内の電子部品が実装されない領域が部分的に薄型化されているものがある。
【先行技術文献】
【特許文献】
【０００５】
【特許文献１】特開２００８−２３３９８５号公報
【発明の概要】
【発明が解決しようとする課題】
【０００６】
ところで、上述した携帯端末装置では、筐体の薄型化を図った場合に、筐体の機械的強度、特に曲げ剛性の低下を招いてしまう。【０００７】
特に、タッチパネルディスプレイを備えるスマートフォンやタブレットＰＣでは、タッチパネルを操作するときに筐体に押圧力が作用するので、筐体の曲げ剛性を確保する必要がある。【０００８】
また上述のように、筐体の背面の中央部が部分的に薄型化されることで、筐体の背面にエッジ部（角部）が含まれる形状を有する携帯端末装置がある。このような携帯端末装置では、例えば机上に携帯端末装置を置いてタッチパネルを操作する場合に、机上に接する筐体のエッジ部に応力が集中してしまう問題がある。このような場合には、筐体やタッチパネルディスプレイの破損を招くおそれがある。【０００９】
そこで、本発明は、上記関連する技術の課題を解決することができる電子機器を提供することを目的とする。本発明の目的の一例は、薄型化が図られた筐体の機械的強度の低下を防ぐことができる電子機器を提供することを目的とする。
【課題を解決するための手段】
【００１０】
上述した目的を達成するため、本発明に係る電子機器は、表示パネルと、表示パネルが設けられた筐体と、を備える。筐体の、表示パネルに対向する背面には、筐体の外縁部の両端から背面の中央側に寄った位置に、一対の弧状膨出部が設けられ、一対の弧状膨出部が連続して一体に形成されている。
【発明の効果】
【００１１】
本発明によれば、薄型化が図られた筐体の機械的強度の低下を防ぎ、筐体や表示パネルの破損を防ぐことができる。
【図面の簡単な説明】
【００１２】
【図１】実施形態の携帯端末装置を示す斜視図である。
【図２】実施形態の携帯端末装置を筐体の背面側から示す斜視図である。
【図３】実施形態の携帯端末装置を示す平面図である。
【図４】実施形態の携帯端末装置の筐体の背面の形状を示す側面図である。
【図５】実施形態の携帯端末装置の使用時に筐体に作用する応力を説明するために示す模式図である。
【発明を実施するための形態】
【００１３】
以下、本発明の具体的な実施形態について、図面を参照して説明する。
図１に、実施形態の携帯端末装置の斜視図を示す。図２に、実施形態の携帯端末装置の斜視図を筐体の背面側から示す。図３に、実施形態の携帯端末装置の平面図を示す。
【００１４】
図１及び図２に示すように、実施形態の携帯端末装置１は、表示パネル３と、表示パネル３が設けられた筐体４と、を備える。表示パネル３としては、例えば７インチから１０インチ程度のサイズのタッチパネルディスプレイが用いられている。本実施形態の携帯端末装置１は、表示パネル３の表示面を覆うカバーを有していない、いわゆるピュアタブレット型のタブレットＰＣとして構成されている。
【００１５】
図４に、実施形態の携帯端末装置の筐体４の背面の形状の側面図を示す。筐体４は、カーボンを含有する材料で形成されており、例えば炭素繊維強化炭素複合材、または炭素繊維積層材であるカーボンコンポジットによって形成されている。これらの材料を用いることにより、薄型化、高剛性化、熱拡散による放熱性の向上等の効果を得ることができる。
【００１６】
なお、筐体４は、ガラス繊維等を含有する繊維強化樹脂等の樹脂材料によって形成されてもよく、軽量化を図ると共に剛性を確保することができる。また、筐体４は、ステンレス鋼、アルミニウム等の金属材料によって形成されてもよく、剛性を高めることができる。また、筐体４は、繊維強化金属によって形成されてもよく、筐体４の一部のみが繊維強化材料によって形成されてもよい。
【００１７】
図３に示すように、筐体４の前面４の中央部には、表示パネル３が配置される開口部５が設けられている。筐体４は、表示パネル３を間に挟んで両側の外縁部近傍が、筐体４を保持するための保持部６として機能する。
【００１８】
図４に示すように、筐体４の、表示パネル３に対向する背面４ｂには、筐体４の外縁部の両端から背面４ｂの中央側に寄った位置に、一対の弧状膨出部７が設けられている。一対の弧状膨出部７は、背面４ｂの中央部を挟んで連続して一体に形成されている。
【００１９】
弧状膨出部７は、筐体４の外縁部の両端から背面４ｂの中央側に寄った位置に、膨出形状の頂部が配置されている。このため、筐体４の背面４ｂ側を机上に置いたときに、一対の弧状膨出部７の頂部が、机上に接することになる。
【００２０】
また、筐体４は、一対の弧状膨出部７が連続して一体に形成されることで、筐体４全体の機械的強度、筐体４全体の弾性が確保されている。
【００２１】
また、筐体４の背面４ａには、一対の弧状膨出部７の間の中央部に弧状凹部８が形成されており、弧状凹部８から弧状膨出部７を経て筐体４の外縁部の両端まで連続する１つの曲面が構成されている。筐体４の背面４ｂは、緩やかな弧状膨出部７が形成されることで、筐体４を保持する手のひらの形状になじみ、使用時の安定性が確保されている。
【００２２】
また、筐体４の背面４ａは、図２に示すように、弧状膨出部７が並ぶ方向と直交する方向における、筐体４の外縁部の両端が、背面４ａの中央に連続するように面取りされることによって、面取り部９が形成されている。
【００２３】
また、筐体４の内部には、図４に示すように、メイン回路基板１１及びバッテリ１２が、表示パネル３と平行に配置されている。メイン回路基板１１は、矩形状の表示パネル３の長辺方向における一端側に配置されており、ＵＳＢ（Universal  Serial  Bus）メモリ１３が挿抜されるＵＳＢスロット１４、ＳＤメモリカードが挿抜されるＳＤカードスロット１６、充填端子１７、ＳＩＭ(Subscriber  Identity  Module  Card）カードが挿抜されるＳＩＭカードスロット１９、筐体４の背面側にレンズが配されたカメラユニット２１、イヤホンジャック２２等が実装されている。筐体４は、各種のスロット１４、１６、１９や充填端子１７を覆うカバー（不図示）をそれぞれ有している。
【００２４】
上述のように、実装部品のうちで厚みが比較的大きなカメラユニット２１を含む実装部品群が、筐体４の一端側に集めて配置されることによって、筐体４の中央部の厚みの薄型化を図ると共に、筐体４を保持するための保持部６として適当な厚みが確保されている。
【００２５】
さらに、筐体４の内部における、矩形状の表示パネル３の長辺方向における一端側には、図４に示すように、バイブレータ２４、マイク２５、アンテナ２６が配置されている。アンテナ２６は、筐体４の外縁部に沿って、表示パネル３の長辺方向に延ばされている。
【００２６】
以上のように構成された携帯端末装置１を机上に置いて表示パネル３を操作する場合に、筐体４の背面４ｂに作用する応力について説明する。図５に、実施形態の携帯端末装置１の使用時に筐体４に作用する応力を説明するための模式図を示す。
【００２７】
図５に示すように、携帯端末装置１は、表示パネル３を操作するときに、机上に筐体４の背面４ｂ側が接するように置いた状態で使用される場合がある。この場合、表示パネル３を操作する指先等の押圧力は、筐体４全体を机上に押し付けるように作用する。
【００２８】
本実施形態では、表示パネル３の操作時に筐体４に加わった押圧力が、一対の弧状膨出部７に作用する。したがって、一対の弧状膨出部７を有する筐体４によれば、例えば、筐体の背面に鋭角状の角部が形成されている形状と比較して、背面４ｂに応力が集中する部分が生じることを避けて、筐体４や表示パネル３の破損を防ぐことができる。
【００２９】
上述したように、実施形態の携帯端末装置１によれば、筐体４の背面４ｂに、一対の弧状膨出部７が連続して形成されたことによって、薄型化が図られた筐体４の機械的強度の低下を防ぎ、筐体４や表示パネル３の破損を防ぐことができる。
【００３０】
また、実施形態の携帯端末装置１によれば、使用時の持ち易さを向上することができる。加えて、例えばユーザーが座った状態で、背面４ｂの弧状凹部８を足のももの上に重なるように置くことで、筐体４の背面４ｂを足で補助的に支えることも可能である。これによって、表示パネル３の操作時の安定性を確保し、携帯端末装置１の取り扱い性を向上することができる。
【００３１】
また、筐体４の背面４ｂは、外縁部の両端から背面４ｂの中央側に寄った位置に、一対の弧状膨出部７が設けられたことによって、筐体４の外縁部と、机上との間に隙間が確保される。このため、机上に置かれた携帯端末装置１を持ち上げるときに、机上に置かれた携帯端末装置１の筐体４の外縁部を指先で容易に掴むことが可能になる。その結果、机上から筐体３を持ち上げ易く、携帯端末装置１の取り扱い性を向上することができる。
【００３２】
また同様に、筐体４の背面４ｂは、一対の弧状膨出部７が並ぶ方向と直交する方向における、筐体４の外縁部の両端に面取り部９が形成されることによって、筐体４の外縁部と、机上との間に隙間が確保される。このため、机上に置かれた携帯端末装置１を持ち上げるときに、机上に置かれた携帯端末装置１の筐体４の、表示パネル３の短辺方向の両側の外縁部を指先で容易に掴むことが可能になる。その結果、机上から筐体３を持ち上げ易く、携帯端末装置１の取り扱い性を向上することができる。
【００３３】
また、携帯端末装置１を机上で利用する場合には、一対の弧状膨出部７の間の空間が、空気の導通路としても機能するので、放熱性にも優れる。
【００３４】
なお、本発明に係る電子機器は、実施形態の情報端末装置１としてのタブレットＰＣに限定されるものではなく、例えばＰＤＡ（Personal  Data  Assistant）、スマートフォンを含む携帯電話機、電子書籍端末、携帯ゲーム機等に用いられて好適である。
【００３５】
以上、実施形態を参照して本発明を説明したが、本発明は上記実施形態に限定されるものでない。本発明の構成や詳細は、本発明のスコープ内で当業者が理解し得る様々な変更をすることができる。
【００３６】
この出願は、２０１１年７月２９日に出願された日本出願特願２０１１−１６７２９０を基礎とする優先権を主張し、その開示の全てをここに取り込む。
【符号の説明】
【００３７】
１  タブレットＰＣ
３  表示パネル
４  筐体
４ｂ  背面
７  弧状膨出部
８  弧状凹部
【図１】
2013018544.tif 000003
【図２】
2013018544.tif 000004
【図３】
2013018544.tif 000005
【図４】
2013018544.tif 000006
【図５】
2013018544.tif 000007
【国際調査報告】
2013018544.tif 000008
2013018544.tif 000009
2013018544.tif 000010
2013018544.tif 000011